(57)【要約】【課題】座部の横に物を載置できるとともに当該物の転倒や落下を抑制できる構成を備えた椅子を提供する。【解決手段】本発明に係る椅子１は、座部２Ａの横に、底３及び周壁４を有した上部開口の物置部５を備えたことを特徴とする。【選択図】図１
2018033790.tif 000002
【特許請求の範囲】
【請求項１】
座部の横に、底及び周壁を有した上部開口の物置部を備えたことを特徴とする椅子。
【請求項２】
物置部は、座部の横に設けられたテーブルと、テーブル上に取付けられた上部開口の周壁形成体とを備えて構成されたことを特徴とする請求項１に記載の椅子。
【発明の詳細な説明】
【技術分野】
【０００１】
本発明は、物置部を備えた椅子に関する。
【背景技術】
【０００２】
従来、座部の横にテーブルが設けられた椅子が知られている(例えば特許文献１等参照）。
【先行技術文献】
【特許文献】
【０００３】
【特許文献１】特開２００１−６１５９７号公報
【発明の概要】
【発明が解決しようとする課題】
【０００４】
上述した椅子では、座部の横のテーブルに載置された物が転倒しやすかったり、テーブルに載置された物がテーブルから落下しやすいという問題点があった。
本発明は、上記課題に鑑みてなされたもので、座部の横に物を載置できるとともに当該物の転倒や落下を抑制できる構成を備えた椅子を提供する。
【課題を解決するための手段】
【０００５】
本発明に係る椅子は、座部の横に、底及び周壁を有した上部開口の物置部を備えたことを特徴とする。
また、物置部は、座部の横に設けられたテーブルと、テーブル上に取付けられた上部開口の周壁形成体とを備えて構成されたことを特徴とする。
【発明の効果】
【０００６】
本発明に係る椅子によれば、座部の横に、底及び周壁を有した上部開口の物置部を備えたので、周壁が、物置部の底に載置された物の転倒や落下を抑制する。
また、物置部は、座部の横に設けられたテーブルと、テーブル上に取付けられた上部開口の周壁形成体とを備え、テーブルが物置部の底を形成するため、比較的重量のある物、例えば、小型犬や猫等の大きさのペットを物置部の底に安定に座らせることができるようになる。
【図面の簡単な説明】
【０００７】
【図１】椅子の斜視図。
【図２】折り畳んだ状態の椅子を示す斜視図。
【発明を実施するための形態】
【０００８】
実施形態１
実施形態１に係る椅子１は、椅子本体２と、椅子本体２の座部２Ａの横に設けられて底３及び周壁４を有した上部開口の物置部５と、オーニング装置６とを備えた折り畳み式椅子である。
【０００９】
椅子本体２は、座部２Ａと、座部２Ａの左右両側に位置される脇部、即ち、左脇部２Ｂ及び右脇部２Ｃと、座部２Ａの後方上側に位置される背当部２Ｄとを備える。
【００１０】
左脇部２Ｂ及び右脇部２Ｃは、例えばパイプ（管）により形成された長方形形状の枠体により構成される。当該枠体は、例えば、長方形の長辺を形成する互いに対向する支柱により形成された前脚２１及び後脚２２と、前脚２１及び後脚２２の脚端２３により形成されて床や地面や砂地等の設置部１０に着座する脚端２３，２３…と、前脚２１の脚端２３側と後脚２２の脚端２３側とを連結する補強桟２４と、脚端２３とは反対側に位置される長方形の短辺を形成する横枠により形成された肘当部２５とを備える。
左脇部２Ｂ及び右脇部２Ｃは、肘当部２５，２５が互いに平行に位置されるように配置される。
【００１１】
背当部２Ｄは、左脇部２Ｂ及び右脇部２Ｃにおける肘当部２５と後脚２２との境界部付近より斜め後方上方に延長するように設けられた例えばパイプにより形成された左右の支持体２６，２６と、左右の支持体２６，２６間に張設された布、シート、メッシュ材等の背当面形成体２７とを備えて構成される。
【００１２】
座部２Ａは、左脇部２Ｂと右脇部２Ｃとの間において折り畳み可能に設けられた折り畳み可能枠体３０と、布、シート、メッシュ材等の座面形成体３１とを備えて構成される。
折り畳み可能枠３０は、例えば直線状のパイプの両端側を同方向に９０°折り曲げて形成されたコ字状フレームを２つ組み合わせて形成される。
例えば、一方のコ字状フレーム３２Ａの一端が左脇部２Ｂの前脚２１の脚端２３側にヒンジ３３を介して連結されるとともに、一方のコ字状フレーム３２Ａの他端が左脇部２Ｂの後脚２２の脚端２３側にヒンジ３３と同様な図外のヒンジを介して連結される。また、他方のコ字状フレーム３２Ｂの一端が右脇部２Ｃの前脚２１の脚端２３側にヒンジ３４を介して連結されるとともに、他方のコ字状フレーム３２Ｂの他端が右脇部２Ｃの後脚２２の脚端２３側にヒンジ３４と同様な図外のヒンジを介して連結される。
また、互いに交差する一方のコ字状フレーム３２Ａの一端部の中央側と他方のコ字状フレーム３２Ｂの一端部の中央側とがヒンジ３５を介して連結され、同様に、互いに交差する一方のコ字状フレーム３２Ａの他端部の中央側と他方のコ字状フレーム３２Ｂの他端部の中央側とがヒンジ３５（図２参照）を介して連結される。
また、一方のコ字状フレーム３２Ａの一端部の中央部４３側と右脇部２Ｃの前脚２１とがリンク４１を介して連結されるともに、一方のコ字状フレーム３２Ａの他端部の中央部４３側と右脇部２Ｃの後脚２２とがリンク４１（図２参照）を介して連結され、かつ、他方のコ字状フレーム３２Ｂの一端部の中央部４３側と左脇部２Ｂの前脚２１とがリンク４２を介して連結されるともに、他方のコ字状フレーム３２Ｂの他端部の中央部４３側と左脇部２Ｂの後脚２２とがリンク４２（図２参照）を介して連結される。
そして、一方のコ字状フレーム３２Ａの中央部４３と他方のコ字状フレーム３２Ｂの中央部４３との間に座面形成体３１が張設されている。
【００１３】
以上のように構成された椅子本体２は、図１に示す状態から図２に示すように、左脇部２Ｂと右脇部２Ｃとを互いに近付ける方向に移動させることにより、座部２Ａの各コ字状フレーム３２Ａ：３２Ｂがヒンジ３５を回転中心として起き上がるように回転して、座部２Ａが折り畳まれた状態となり、かつ、図２に示す状態から図１に示すように、左脇部２Ｂと右脇部２Ｃとを互いに離れる方向に移動させることにより、座部２Ａの各コ字状フレーム３２Ａ，３２Ｂがヒンジ３５を回転中心として倒れるように回転して、座面形成体３１上に人が座れる状態となるように設定される。
【００１４】
物置部５は、椅子本体２の座部２Ａの横に設けられた支持部としてのテーブル５１と、当該テーブル５１上に取付けられた上部開口の袋体、又は、上下開口の筒体により形成された囲み部材５２とを備えて構成される。
尚、物置部５は、椅子本体２の座部２Ａの左横、又は、椅子本体２の座部２Ａの右横、又は、椅子本体２の座部２Ａの左右両方の横に設けられる。
【００１５】
囲み部材５２が上部開口の袋体で形成される場合、当該囲み部材５２は、周壁形成体５５と周壁形成体５５の下端開口を塞ぐ底形成体とを備えて構成される。
当該周壁形成体５５は、例えば、四角形状のテーブル５１の４隅部に形成された支柱嵌合取付孔５３，５３…にそれぞれ下端部５４ａが嵌め込まれて取付けられる４つの支柱５４，５４…と、互いに隣り合う支柱５４，５４間に設けられた壁形成体５６とを備えて、上下開口の四角筒状の周壁４を形成するものである。当該壁形成体５６は、例えば、布、シート、メッシュ材、板等により形成される。
【００１６】
また、囲み部材５２が上下開口の筒体で形成される場合、当該囲み部材５２は、上述した周壁形成体５５により構成される。
【００１７】
囲み部材５２は、各支柱５４，５４…の下端部５４ａが支柱嵌合取付孔５３，５３…を貫通可能に構成され、テーブル５１に対して着脱自在に取付可能となっている。
そして、当該囲み部材５２がテーブル５１に取付けられることによって、椅子本体２の座部２Ａの横に、底３及び周壁４を有した上部開口の物置部５が構成されることになる。
【００１８】
尚、囲み部材５２として、上述した上部開口の袋体を用いた場合、テーブル５１と、このテーブル５１上に位置される当該上部開口の袋体の底となる底形成体とによって、物置部５の底３が構成されることになる。
また、囲み部材５２として、上述した上下開口の筒体を用いた場合、テーブル５１によって物置部５の底３が構成されることになる。
【００１９】
囲み部材５２がテーブル５１に取付けられて構成される物置部５の大きさは、例えば、小型犬や猫等の大きさのペットが入って座ることができる大きさに形成される。
【００２０】
オーニング装置６は、左脇部２Ｂ及び右脇部２Ｃの各後脚２２，２２の上部に設けられたオーニング支柱取付部６１，６１に下端部が固定された各オーニング支柱６２，６２と、各オーニング支柱６２，６２の上端間に張設された日除け材、雨除け材であるオーニング６３と、高さ調整機構６４と、角度調整機構６５とを備えて構成される。
即ち、オーニング支柱６２は高さ調整機構６４を介して伸縮自在に構成され、かつ、オーニング６３は角度調整機構６５を介して角度調整自在に構成されている。
【００２１】
例えば、オーニング支柱６２はパイプにより形成された下側支柱６６と上側支柱６７とを備え、高さ調整機構６４は、下側支柱６６の管内に挿入された上側支柱６７の下側部分の外面と下側支柱６６の内面とを密着させることにより、上側支柱６７の上下方向の移動を規制するとともに、上側支柱６７の下側部分の外面と下側支柱６６の内面との密着状態を解除することにより、上側支柱６７の上下方向の移動を許容して、オーニング支柱６２の高さを変更できるように構成されている。
具体的な高さ調整機構６４としては、下側支柱６６の上端部には、図外のねじ部が形成されているともに図外の縦割り部が形成されており、当該ねじ部に螺合するナット部６８を上方に移動させることで下側支柱６６の内面を上側支柱６７の下側部分の外面に密着させて上側支柱６７の上下方向の移動を規制し、ねじ部に螺合するナット部６８を下方に移動させることで下側支柱６６の内面が上側支柱６７の下側部分の外面から離れて上側支柱６７の上下方向の移動を許容するように構成されている。
【００２２】
角度調整機構６５は、例えば、オーニング６３の幅方向両端に設けられたオーニング支持桟７０を、オーニング支柱６２の上端に設けられた回転中心を介して回転可能に取付けるとともに、任意の回転角度位置でオーニング支持桟７０の回転を規制する回転規制手段７１を備えた構成である。
具体的な角度調整機構６５としては、オーニング支持桟７０に設けられた回転ガイド板７２とオーニング支柱６２の上端部とがヒンジ７３を介して連結されることによって、オーニング支持桟７０がヒンジ７３を回転中心として回転可能となり、回転規制手段７１が、ヒンジ７３を中心とするように回転ガイド板７２に形成された孤状の長孔７４と、オーニング支柱６２の上端に設けられて孤状の長孔７４を貫通するガイド軸７５と、ガイド軸７５の先端側に形成されたねじ部に螺着されて回転ガイド板７２に締結されることによって、任意の回転角度位置でオーニング支持桟７０の回転を規制するナット部材７６とを備えて構成される。
【００２３】
以上のようなオーニング装置６を備えているので、オーニング６３の高さ及びオーニング６３の角度を自由に調整できる。
【００２４】
支持部としてのテーブル５１は、左脇部２Ｂの前脚２１及び後脚２２にそれぞれ取付部８０，８０を介して折り畳み可能に取付けられている。
また、四角形状のテーブル５１は、使用時において左脇部２Ｂから離れた位置に位置される端面８３側の下面５７に図外のヒンジを介して折り畳み可能に構成された支持脚８１を備えている。
当該支持脚８１は例えばパイプにより形成された長方形形状の枠体により構成され、当該枠体の１つの辺部８２が上述したテーブル５１の端面８３側の下面に図外のヒンジを介して取付けられている。
従って、図１に示すように、支持脚８１の１つの辺部８２と対向する辺部８４側をテーブル５１の下面５７より離れる方向に回転させてテーブル５１の下面５７に対して支持脚８１が直交する状態とすることにより、支持脚８１がテーブル５１を支持可能な状態に設定され、また、図２に示すように、支持脚８１をテーブル５１の下面５７側に回転させることで、支持脚８１が折り畳まれた状態に設定される。
【００２５】
前脚２１に取付けられる取付部８０及び後脚２２に取付けられる取付部８０は、例えば、それぞれ、上取付部９０と下取付部９１とを備える。
前脚２１に取付けられる上取付部９０は、例えば、一端が前脚２１に固定され、他端がヒンジ９３を介してテーブル５１における端面８３と直交する端面８５に取付けられた取付板により形成される。
前脚２１に取付けられる下取付部９１は、例えば、一端が前脚２１にヒンジ９４を介して取付けられ、かつ、他端がヒンジ９５を介してテーブル５１の端面８５に取付けられたリンク機構により形成される。
尚、後脚２２に取付けられる上取付部９０及び下取付部９１も、上述した前脚２１に取付けられる上取付部９０及び下取付部９１と同様に構成される。
従って、図１に示すように、テーブル５１の下面５７が前脚２１及び後脚２２から離れる方向にテーブル５１を回転させてテーブル５１のテーブル面５８を水平状態とすることにより、テーブル５１のテーブル面５８が物置部５の底３として機能する状態に設定され、また、図２に示すように、テーブル５１の下面５７が前脚２１及び後脚２２に近付く方向にテーブル５１を回転させることで、テーブル５１が折り畳まれた状態に設定される。
【００２６】
実施形態の椅子１によれば、座部２Ａの横に、底３及び周壁４を有した上部開口の物置部５を備えているので、周壁４が、物置部５の底３に載置された物の転倒や落下を抑制することができる椅子１となる。
また、物置部５は、小型犬や猫等の大きさのペットが入って座ることができる大きさに形成されているので、ペットの座り台（ペットバケット）として利用できる。即ち、ペットを物置部５内に入れて座らせることができ、ペットも飼い主も安心できるようになる。
特に、犬は飼い主の側に居たい習性があり、犬を椅子本体２に座った飼い主の膝横の位置に座らせることができるようになるので、犬に安心感を与えることができるようになる。
また、物置部５は、座部２Ａの横に設けられたテーブル５１と、テーブル５１上に取付けられた上部開口の周壁形成体５５とを備え、テーブル５１が物置部５の底３を形成するため、比較的重量のある物を載置できたり、小型犬や猫等の大きさのペットを物置部５の底３に安定に座らせることができるようになる。
【００２７】
尚、支持部としてのテーブル５１の代わりに枠状に形成された支持部としての支持枠を設け、この支持枠に上部開口の袋体で形成された囲み部材５２を取付けるようにしても良い。
また、物置部５の周壁４の形状は、四角筒状以外の、例えば、円筒状、三角筒状、多角筒状であってもよい。
また、物置部５は、テーブル５１等の支持部に固定状態に設けられていても良い。
また、物置部５は、折り畳み式ではない椅子本体の座部の横に設けられたテーブル５１等の支持部に設けられていても良い。この場合、テーブル５１等の支持部は、折り畳み可能であってもよいし、折り畳みできない構成であってもよい。
【００２８】
また、椅子本体２の脚端２３側の補強桟２４にペグホールを設けてもよい。このようにすれば、設置部１０が砂地や土である場合に、ペグホールにペグを貫通させて設置部１０に固定することにより、椅子１の転倒防止効果が得られる。
また、オーニング装置６は、座部２Ａに座った人の背面側にオーニング６３を位置させることが可能な構成としてもよい。
また、オーニング装置６は、横に拡張できて座部Ａ及び物置部５の両方の上方に位置されることが可能なオーニング６３を備えた構成としてもよい。このようなオーニング装置６を備えた構成とすれば、小型犬や猫等のペットを物置部５内に入れて座らせた場合、ペットの日除け、雨除けが可能な構成を備えた椅子を提供できるようになる。
椅子本体２の下端側の補強桟２４やテーブル５１の支持脚８１にキャスター等の車輪を設けるようにしてもよい。この場合、椅子本体２及テーブル５１を折り畳んだ状態での移動が容易になる。また、この場合、椅子本体２だけを折り畳んだ状態で物置部５を物入れとして利用することも可能となる。
【符号の説明】
【００２９】
１  椅子、２Ａ  座部、３  底、４  周壁、５  物置部、５１  テーブル、
５５  周壁形成体。
【図１】
2018033790.tif 000003
【図２】
2018033790.tif 000004